(57)【要約】【課題】トランスポンダの送信波長設定を自動化して波長設定作業の省力化を図る。【解決手段】トランスポンダの送信手段は、制御手段によって設定された波長の信号光をＷＤＭ部へ送信する。このとき、信号光の波長が、この信号光が入射する光フィルタの通過波長に適合する場合には、この信号光はＷＤＭ部内に構築された折り返し経路を通って送信元のトランスポンダに戻り、受信手段で受信される。制御手段は、信号光が受信されたときに送信手段に設定されている波長を、トランスポンダで使用する送信波長として決定する。【選択図】図２
2007097068.tif 000002
【特許請求の範囲】
【請求項１】
異なる波長を有する複数の信号光を送信するトランスポンダ部と、
前記複数の信号光を受信して波長多重して送信するとともに、波長多重された信号光を受信したときに、この波長多重された信号光を異なる波長を有する複数の信号光に分割し、分割された各信号光を前記トランスポンダ部に送信する波長分割多重部とを含み、
前記トランスポンダ部は、前記複数の波長の一つを有する信号光を前記波長分割多重部との間で送受信する複数のトランスポンダを有し、
前記波長分割多重部は、前記複数のトランスポンダの一つと接続され、特定の通過波長を持ち、前記トランスポンダの一つから受信される信号光の波長が前記通過波長に適合するときに、この信号光を前記トランスポンダの一つに折り返す折り返し経路を有し、
前記トランスポンダの一つは、
設定に応じた波長の信号光を前記波長分割多重部へ送信可能な送信手段と、
前記折り返し経路を通って戻ってきた信号光を検出する検出手段と、
前記送信手段に対する波長設定を行うとともに、前記検出手段で信号光が検出されたときに前記送信手段に設定されている波長を、前記トランスポンダの一つで使用する送信波長として決定する制御手段と
を含む波長分割多重装置。
【請求項２】
異なる波長を有する複数の信号光を送信するトランスポンダ部と、前記複数の信号光を受信して波長多重して送信するとともに、波長多重された信号光を受信したときに、この波長多重された信号光を異なる波長を有する複数の信号光に分割し、分割された各信号光を前記トランスポンダ部に送信する波長分割多重部とを含み、前記トランスポンダ部は、前記複数の波長の一つを有する信号光を前記波長分割多重部との間で送受信する複数のトランスポンダを有する波長分割多重装置において、
前記複数のトランスポンダの一つが、
信号光を前記波長分割多重部に送信し、
前記信号光の波長が前記トランスポンダの一つが使用すべき波長である場合に、前記波長分割多重部から折り返されて戻ってくる前記信号光を受信し、
前記信号光が受信された場合に、受信された信号光の波長を、前記トランスポンダの一つが使用する送信波長として決定する
ことを含む波長分割多重装置の自動送信波長設定方法。
【請求項３】
異なる波長を有する複数の信号光を波長多重する装置に、前記複数の信号光の一つを送信するトランスポンダであって、
信号光を前記装置に送信する送信手段と、
前記信号光の波長が前記トランスポンダの使用すべき波長である場合に前記装置から折り返されて戻ってくる前記信号光を受信する受信手段と、
前記信号光が前記受信手段で受信された場合に、受信された信号光の波長を前記トランスポンダが使用する送信波長として決定する手段と
を含むトランスポンダ。
【請求項４】
異なる波長を有する複数の信号光を波長多重する装置に前記複数の信号光の一つを送信するトランスポンダが、
信号光を前記装置に送信し、
前記信号光の波長が前記トランスポンダの使用すべき波長である場合に、前記装置から折り返されて戻ってくる前記信号光を受信し、
前記信号光が受信された場合に、受信された信号光の波長を前記トランスポンダが使用する送信波長として決定する手段と
ことを含むトランスポンダの自動送信波長設定方法。
【請求項５】
異なる波長を有する複数の信号光を波長多重する波長多重部と、
特定の通過波長を有し、前記波長多重部へ向かって送信された信号光が接続され、この信号光の波長が前記通過波長に適合するときに、この信号光を送信元へ折り返す折り返し経路と
を含む波長多重装置。
【発明の詳細な説明】
【技術分野】
【０００１】
本発明は、光伝送において複数の信号を波長多重／分割して伝送することで大容量伝送を可能にする波長分割多重装置(ＷＤＭ(Wavelength Division Multiplexing)伝送装置)に関する。
【背景技術】
【０００２】
ＷＤＭ伝送装置では、図１に示すように、複数の異なる信号を特定の波長へ変換するトランスポンダ部と、波長多重／分割を行い、波長多重後に光増幅するＷＤＭ部(波長分割
多重部)とで構成されている。
【０００３】
ＷＤＭ部で波長多重／分割される波長は、ITU-T G.694で規定されており、一般的に、
ＷＤＭ部は、ITU-T G.694で規定された波長グリッドに準拠した波長を多重する。大容量
のＷＤＭ伝送装置では、４０波や８０波、或いはそれ以上の波長多重が行われる。トランスポンダ部は、多重される波長数のトランスポンダを必要とする。従って、多重される波長数が増えると、ＷＤＭ伝送装置の規模は大きくなる。
【０００４】
ＷＤＭ伝送装置の起動時(立ち上げ時)においては、多重される波長数のトランスポンダが光ファイバを介してＷＤＭ部に接続される。このとき、ＷＤＭ部の接続先から受信される各波長と同じ波長を各トランスポンダに設定する必要がある。現状では、上記した接続作業は、全て手作業で行われている。トランスポンダの波長設定も集中管理局からの遠隔操作などによるオペレータの手作業で行われている。従って、大容量ＷＤＭ伝送装置の立ち上げ作業では、多数の波長に係る設定作業が必要になる。このため、波長設定作業が非常に煩雑となり、誤設定の可能性も多くなる。
【０００５】
また、すでに運用を開始しているＷＤＭ伝送装置に、新たな波長を増設(追加)する場合にも、新たな波長に係る接続及び設定作業が必要になる。この場合、オペレータは、既に運用されている波長を鑑みながら、未使用波長の選択や波長設定を行わなければならない。このとき、オペレータは、多くの事項を確認して作業を行わなければならないので、誤設定の可能性がある。
【０００６】
上述したような波長設定作業の煩雑さを解消するために、トランスポンダの送信波長設定を自動で行う方法が、既に提案されている。例えば、特許文献１には、「波長多重光伝送システムおよび光信号伝送制御方法」が開示されている。特許文献１記載の技術では、ＷＤＭ部の波長多重部分がフィルタを有し、特定の波長帯のみ光を通過させる構成を持つことに鑑み、フィルタの前後に光強度検出用のフォトディテクタを設け、トランスポンダの送信波長を順にスイープさせる。これによって、接続先と一致する波長を送信波長に設定したときに光強度を検出することができる。さらに、光検出情報をＷＤＭ部の制御部からトランスポンダ部の制御部へ通知して、トランスポンダの送信波長を設定波長として決定する。特許文献１記載の技術では、ＷＤＭ部の制御部とトランスポンダ部の制御部との間で情報をやり取りする仕組みが必要である。このため、ベンダが異なるＷＤＭ部とトランスポンダ部とでＷＤＭ伝送装置が構成される場合には、両者間のやりとりの制御が困難となるおそれがある。また、特許文献１記載の技術では、トランスポンダの送信波長をスイープさせて判定を行う。このため、判定に長い時間を要するおそれがある。
【０００７】
また、特許文献２には、「波長多重分割装置及び同装置における変換波長の自動設定方法」が開示されている。特許文献２記載の技術は、波長の自動設定機能だけでなく光ファイバの誤接続防止機能も有する。特許文献２記載の技術は、ＷＤＭ部とトランスポンダ部
との間で、主信号の変調によって自身の波長情報を付加する機能を有し、ＷＤＭ部の特定のフィルタを通過した光のレベル監視と、光の通過後に変調された波長情報の復調及び検出とが実行される。これによって、設定すべき波長が正確に接続されているかが判断可能となっている。特許文献２記載の技術では、ＷＤＭ部及びトランスポンダ部に対し、主信号に波長情報を付加するための変調機能を追加する必要がある。
【０００８】
以上説明したように、特許文献１及び２のような従来技術では、ＷＤＭ部及びトランスポンダ部の双方に改良を加える(波長自動設定用の機能を追加する)ことで、波長自動設定が実現されている。
【特許文献１】特開２００４−２７４１１３号公報
【特許文献２】特開２００４−０１５３２８号公報
【発明の開示】
【発明が解決しようとする課題】
【０００９】
本発明の目的は、送信波長の自動設定を可能とすることにより波長設定作業の省力化を図る技術を提供することである。
【課題を解決するための手段】
【００１０】
本発明は、上述した課題を解決するために、以下の構成を採用する。
【００１１】
即ち、本発明は、異なる波長を有する複数の信号光を送信するトランスポンダ部と、
前記複数の信号光を受信して波長多重して送信するとともに、波長多重された信号光を受信したときに、この波長多重された信号光を異なる波長を有する複数の信号光に分割し、分割された各信号光を前記トランスポンダ部に送信する波長分割多重部とを含み、
前記トランスポンダ部は、前記複数の波長の一つを有する信号光を前記波長分割多重部との間で送受信する複数のトランスポンダを有し、
前記波長分割多重部は、前記複数のトランスポンダの一つと接続され、特定の通過波長を持ち、前記トランスポンダの一つから受信される信号光の波長が前記通過波長に適合するときに、この信号光を前記トランスポンダの一つに折り返す折り返し経路を有し、
前記トランスポンダの一つは、
設定に応じた波長の信号光を前記波長分割多重部へ送信可能な送信手段と、
前記折り返し経路を通って戻ってきた信号光を検出する検出手段と、
前記送信手段に対する波長設定を行うとともに、前記検出手段で信号光が検出されたときに前記送信手段に設定されている波長を、前記トランスポンダの一つで使用する送信波長として決定する制御手段と
を含む波長分割多重装置である。
【００１２】
また、本発明は、異なる波長を有する複数の信号光を送信するトランスポンダ部と、前記複数の信号光を受信して波長多重して送信するとともに、波長多重された信号光を受信したときに、この波長多重された信号光を異なる波長を有する複数の信号光に分割し、分割された各信号光を前記トランスポンダ部に送信する波長分割多重部とを含み、前記トランスポンダ部は、前記複数の波長の一つを有する信号光を前記波長分割多重部との間で送受信する複数のトランスポンダを有する波長分割多重装置において、
前記複数のトランスポンダの一つが、
信号光を前記波長分割多重部に送信し、
前記信号光の波長が前記トランスポンダの一つが使用すべき波長である場合に、前記波長分割多重部から折り返されて戻ってくる前記信号光を受信し、
前記信号光が受信された場合に、受信された信号光の波長を、前記トランスポンダの一つが使用する送信波長として決定する
ことを含む波長分割多重装置の自動送信波長設定方法である。
【００１３】
また、本発明は、異なる波長を有する複数の信号光を波長多重する装置に、前記複数の信号光の一つを送信するトランスポンダであって、
信号光を前記装置に送信する送信手段と、
前記信号光の波長が前記トランスポンダの使用すべき波長である場合に前記装置から折り返されて戻ってくる前記信号光を受信する受信手段と、
前記信号光が前記受信手段で受信された場合に、受信された信号光の波長を前記トランスポンダが使用する送信波長として決定する手段と
を含むトランスポンダである。
【００１４】
また、本発明は、異なる波長を有する複数の信号光を波長多重する装置に前記複数の信号光の一つを送信するトランスポンダが、
信号光を前記装置に送信し、
前記信号光の波長が前記トランスポンダの使用すべき波長である場合に、前記装置から折り返されて戻ってくる前記信号光を受信し、
前記信号光が受信された場合に、受信された信号光の波長を前記トランスポンダが使用する送信波長として決定する手段と
ことを含むトランスポンダの自動送信波長設定方法である。
【００１５】
また、本発明は、異なる波長を有する複数の信号光を波長多重する波長多重部と、
特定の通過波長を有し、前記波長多重部へ向かって送信された信号光が接続され、この信号光の波長が前記通過波長に適合するときに、この信号光を送信元へ折り返す折り返し経路と
を含む波長多重装置である。
【発明の効果】
【００１６】
本発明によれば、トランスポンダの送信波長の自動設定を可能とすることにより波長設定作業の省力化を図ることができる。
【発明を実施するための最良の形態】
【００１７】
以下、図面を参照して本発明の実施形態を説明する。実施形態の構成は例示であり、本発明は実施形態の構成に限定されない。
【００１８】
〔第１実施形態〕
〈装置構成〉
図２は、本発明の第１実施形態に係る波長分割多重装置(ＷＤＭ伝送装置)の構成例を示す図である。図２において、ＷＤＭ伝送装置１は、トランスポンダ部１０と、トランスポンダ部１０と接続されるＷＤＭ部(波長分割多重部)２０と、トランスポンダ部１０に接続されるトランスポンダ制御部３０と、ＷＤＭ部２０に接続されるＷＤＭ制御部４０とを備えている。
【００１９】
ＷＤＭ伝送装置１は、トランスポンダ部１０からＷＤＭ部２０へ向かう方向(上り方向
とする)において、相互に異なる特定の波長を有する複数の信号光を波長多重し、上り方
向の接続先へ送出する。これに対し、ＷＤＭ伝送装置１は、ＷＤＭ部２０からトランスポンダ部１０へ向かう方向(下り方向とする)において、波長多重された信号光を、相互に異なる特定の波長を有する複数の信号光に分割し、分割された各信号光を、下り方向の各接続先へ送出する。
【００２０】
トランスポンダ部１０は、各種信号((SONET/SDH、Ethernet（登録商標）、SANなど)を
ＷＤＭ伝送装置１で波長多重するために、下り方向の各接続先から各種信号を受信し、波
長変換によって、相互に異なる特定の波長を有する複数の信号光を生成し、ＷＤＭ部２０に送信する。異なる特定の波長として、例えば、ITU-T G.694で規定された波長グリッド
に応じた複数の波長を適用することができる。
【００２１】
ＷＤＭ部２０は、トランスポンダ部１０から送信される複数の信号光を波長多重し、増幅し、宛先(上り方向の接続先)へ向けて送信する。また、ＷＤＭ部２０は、下り方向の接続先から、波長多重光(異なる特定の波長を有する複数の信号光が波長多重された信号光)を受信して増幅した後、各波長の信号光に分割し、トランスポンダ部１０に送信する。トランスポンダ部１０で受信された各信号光は、必要な処理が施された後、各信号光の宛先へ向けてトランスポンダ部１０から送出される。
【００２２】
トランスポンダ部１０は、ＷＤＭ伝送装置１で取り扱われる波長λｓ(ｓ＝１,２,・・
・ｎ−１,ｎ：ｎは自然数)毎に用意された複数のトランスポンダ５０を有している。各トランスポンダ５０は、チューナブル送信機を有し、チューナブル送信機に設定される送信波長の信号光を、ＷＤＭ部２０へ送信することができる。各トランスポンダ５０には、相互に異なる波長が、送信波長として設定される。即ち、図２に示すように、各トランスポンダ５０には、相互に異なる波長λ１〜λｎがそれぞれ送信波長として設定される。
【００２３】
各トランスポンダ５０は、同じ構成を有している。図２に示すように、トランスポンダ５０は、下り方向の接続先から信号光を受信する受信部(Ｒｘ)５１と、トランスポンダ５０で受信される信号光に対して所定の処理を行う信号処理部５２と、信号処理部５２からの信号光を、設定された送信波長の信号光に変換して送信する送信部(Ｔｘ：チューナブ
ル送信機)５３とを備えている。これによって、トランスポンダ５０は、ＷＤＭ部２０で
波長多重される複数の波長の一つを有する信号光を、ＷＤＭ部２０へ送信する。
【００２４】
また、トランスポンダ５０は、ＷＤＭ部２０からの信号光を受信する受信部(Ｒｘ：受
信機)５４を有する。受信部５４は、送信部５３から送信される送信波長と同じ波長を有
する信号光を受信する。受信部５４で受信された光は、信号処理部５２にて必要な処理が施された後、送信部(Ｔｘ)５５から下り方向の接続先へ送出される。
【００２５】
さらに、トランスポンダ５０は、受信部５４で受信される信号光の波長に基づいて、送信部５５に対する波長設定処理及びこれを含む自動波長設定制御を実行する波長設定部５６を備えている。
【００２６】
ＷＤＭ部２０は、大略して、多重系と分割系とを有している。多重系は、光フィルタ部２１と、光分岐部２２と、波長多重部２３と、光増幅部２４とを有している。光フィルタ部２１は、ＷＤＭ伝送装置１で使用される複数の波長λｓ(λ１〜λｎ)の数に応じて用意された複数の光フィルタ２１１を有している。光フィルタ２１１は、複数の波長λｓの一つを通過させる通過波長帯域を有している。光フィルタ２１１は、複数のトランスポンダ５０の一つにおける送信部５３と光ファイバを介して接続される。従って、各光フィルタ２１１に接続される各送信部５３には、光フィルタ２１１の通過波長帯域に応じた送信波長が設定される。
【００２７】
光分岐部２２は、各光フィルタ２１１に対応する複数の光ファイバカプラ(ＣＰＬ：光
分配器)２２１を有している。各ＣＰＬ２２１は、各光フィルタ２１１と波長多重部２３
との間に形成された各波長λ１〜λｎの光路上に配置されている。各ＣＰＬ２２１は、対応する光フィルタ２１１から出射される信号光を、波長多重部２３と光スイッチ部２７とに分配する。
【００２８】
波長多重部２３は、各ＣＰＬ２２１から出射される波長λ１〜λｎを波長多重して送出
する。光増幅部２４は、例えば、光ファイバ増幅器であり、波長多重部２３から出射される波長多重された信号光(波長多重光)を増幅して出射する。光増幅部２４から出射された波長多重光は、その宛先(ＷＤＭ部側の接続先)へ向けて送信される。
【００２９】
一方、ＷＤＭ部２０の分割系は、光増幅部２５と、波長分割部２６と、光スイッチ部２７１と、光フィルタ部２８とを有している。光増幅部２５は、例えば、光ファイバ増幅器であり、ＷＤＭ部側の接続先(対向装置)から受信される波長多重光を、その全帯域に亘って増幅する。光増幅部２５から出射された波長多重光は、波長分割部２６に入射する。波長分割部２６は、波長多重光を、波長λ１〜λｎの信号光に分割して出射する。
【００３０】
光スイッチ部２７は、波長λ１〜λｎに対応する複数の光スイッチ(ＳＷ)２７１を有している。各ＳＷ２７１は、波長分割部２６と光フィルタ部２８との間に形成された各波長λ１〜λｎの光路上に配置されている。また、各ＳＷ２７１は、対応する波長λｓのＣＰＬ６０１と例えば光ファイバを介して接続されている。これによって、各ＳＷ２７１は、ＣＰＬ２２１及び波長分割部２６の双方から、同一の波長λｓを持つ信号光を受信することができる。
【００３１】
各ＳＷ２７１は、ＣＰＬ２２１からの信号光と、波長分割部２６からの信号光の一方を、光フィルタ部２８１に接続する。即ち、各ＳＷ２７１は、信号光をＣＰＬ(光分岐部)側と波長分割部側との間で信号光を選択する(切り替える)。
【００３２】
光フィルタ部２８は、波長λ１〜λｎに対応する複数の光フィルタ２８１を有している。各光フィルタ２８１は、光フィルタ２１１と同様に、波長λ１〜λｎのいずれか一つに応じた通過波長帯域を有している。各光フィルタ２８１は、自身の通過波長帯域に応じた信号光を出射するＳＷ２７１に接続されている。
【００３３】
また、各光フィルタ２８１は、光ファイバを介して、トランスポンダ５０の受信部５４に接続される。このとき、各光フィルタ２８１は、受信部５４が送信波長と同じ波長の信号光を受信するように接続される。例えば、波長λ１を出射する光フィルタ２８１は、送信波長λ１のトランスポンダ５０の受信部５４に接続される。これによって、各トランスポンダ５０は、ＷＤＭ部２０との間で、特定の波長λｓを有する信号光を送受信する。
【００３４】
〈自動送信波長設定〉
次に、ＷＤＭ伝送装置１における自動送信波長設定に係る構成について説明する。上述した構成において、ＷＤＭ部２０内には、各波長λ１〜λｎについて、(送信部５３)→光フィルタ２１１→ＣＰＬ２２１→ＳＷ２７１→光フィルタ２８１→(受信部５４)のルートをたどる折り返し経路が形成されている。ＳＷ２７１がＣＰＬ側(光分岐部２２)を選択している場合、各トランスポンダ５０は、この折り返し経路を用いて、自装置の送信部５３から送信された信号光(自己送信光)を、自装置の受信部５４で受信することができる。
【００３５】
但し、受信部５４で、送信部５３から送信された信号光を受信することができるのは、送信部５３に設定された送信波長が、光フィルタ２１１の通過波長帯域に適合している場合のみである。なぜなら、信号光の波長が通過波長帯域に適合していない場合、その信号光は光フィルタ２１１でカットされるので、受信部５４は信号光を受信することができないからである。
【００３６】
本発明は、このような構成に加えて、トランスポンダ５０が或る波長で送信部５３から信号光を送信し、受信部５４でその信号光を受信できたときに、その信号光の波長を送信波長として採用することを特徴とする。このため、各トランスポンダ５０は、次のような構成を持つ。
【００３７】
即ち、波長設定部５６は、ＷＤＭ伝送装置１で使用される波長λ１〜λｎを、送信部５３の送信波長として設定可能に構成されている。即ち、波長設定部５６は、設定対象波長(設定候補波長)として規定された波長λｓ(λ１〜λｎ)のそれぞれを、送信波長として送信部５３に設定することができる。また、受信部５４は、ＷＤＭ部２０から受信される信号光(受信光)を検知する検知部(例えばフォトディテクタ：図示せず)を有し、受信光を検知したときに、受信光検知を波長設定部５６に通知する。
【００３８】
波長設定部５６は、例えば、波長λ１〜λｎを示す波長データ(波長グリッドのデータ)を有しており(例えば、記憶装置上に記憶されている)、トランスポンダ５０の送信波長が決定される場合に、波長データを用いて、波長λ１〜λｎのいずれか一つを順次設定する。波長設定部５６は、波長設定毎に、受信部５４で信号光が検知されるかを監視(判定)する。受信部５４で信号光が検知されたとき、波長の設定変更を停止し、このとき送信部５３に設定されている波長を送信波長として決定(採用)する。
【００３９】
波長設定部５６が上記処理を実行する場合には、対応するＳＷ２７１が、ＣＰＬ側を選択する切替制御が実行される。この切替制御は、例えばＷＤＭ制御部４０によって実行される。また、波長設定部５６が上記処理を実行する場合には、送信部５３に対し、送信波長設定用の光が入射される状態にされる。
【００４０】
波長設定部５６は、例えば、ＣＰＵのようなプロセッサ，プログラムやデータを記憶した記憶装置，入出力インタフェース等から構成され、プロセッサがプログラムを実行することにより実現される。
【００４１】
なお、トランスポンダ５０が、ＷＤＭ部２０への送信とＷＤＭ部２０からの受信とを１対(ペア)として運用されることが、第１実施形態の実施条件とされる。
【００４２】
〈動作例〉
図３は、第１実施形態によるＷＤＭ伝送装置１で実行される自動波長設定シーケンスを示す図である。ここでは、波長λ１の自動波長設定を例として、図３に則ってＷＤＭ伝送装置１の動作(自動送信波長設定方法)を説明する。
【００４３】
図３において、最初に、波長設定対象のトランスポンダ５０が、ＷＤＭ部２０と正確に接続される(ステップＳ０１)。即ち、トランスポンダ５０(＃１)の送信部５３がＷＤＭ部２０の光フィルタ２１１Ａと光ファイバを介して接続され、且つ受信部５４がＷＤＭ部の光フィルタ２８１Ａと光ファイバを介して接続される。
【００４４】
次に、オペレータが、トランスポンダ制御部３０及びＷＤＭ制御部４０に対し、自動波長設定の要求コマンドを投入する(ステップＳ０２)。この要求コマンドは、設定対象の少なくとも１つの波長λｓの指定を含むことができる。即ち、１波長ずつ個別に自動波長設定を行ったり、複数の波長について一斉に自動波長設定を行ったりすることができる。また、要求コマンドは、波長設定対象のトランスポンダ５０の識別情報を含む。この例では、要求コマンドには、トランスポンダ５０(＃１)の識別情報と、送信波長の設定対象の波長λ１の指定(指定波長情報)とが含まれる。
【００４５】
ＷＤＭ制御部４０は、要求コマンドを受け取ると、この要求コマンドに含まれる指定波長情報に従って、光スイッチ部２７を制御する。ＷＤＭ制御部４０は、波長λｓと各ＳＷ２７１との関係を示すデータを有しており、指定された波長λｓに対応する光スイッチ２７１(ここでは、波長λ１に対応する光スイッチ２７１Ａ)に、光分岐部２２を選択させる(ＣＰＬ側に切り替える：ステップＳ０３)。
【００４６】
一方、トランスポンダ制御部３０は、要求コマンドを受け取ると、要求コマンドに含まれた識別情報を持つ各トランスポンダ５０(トランスポンダ５０(＃１))に、自動送信波長設定を指令する。この指令は、波長設定部５６に与えられる。波長設定部５６は、指令を受け取ると、設定対象波長(複数の波長λｓ)の一つを送信部５３に設定する(ステップＳ
５４)。例えば、波長設定部５６は、所定順序(例えば、λ１→λ２→・・・λｎ−１，λｎ)に従って、送信部５３に設定する。この動作例では、波長設定部５６は、ステップＳ
０４において、λｓ＝λ１として、送信波長を設定する。
【００４７】
送信波長の設定により、送信部５３は、自身に入射される信号光を、設定された波長に変換し、ＷＤＭ部２０へ送信する。このため、送信部５３には、ステップＳ０５の処理が実行される前に、任意の１波長の光が入射されている必要がある。
【００４８】
波長設定部５６は、送信波長設定を行うと、一定時間、受信部５４による光の受信を監視する(ステップＳ０５)。即ち、ステップＳ０４にて設定された波長が対応する光フィルタ２１１及び２８１の通過波長(通過波長帯域)に適合する場合には、送信部５３から送信された光がＷＤＭ部２０内の折り返し経路を通って受信部５４で受信され、波長設定部５６に光検出が通知される。これに対し、送信波長が通過波長に適合しない場合には、その光は光フィルタ２１１でカットされるので、受信部５４から波長設定部５６への光検出の通知は行われない。
【００４９】
波長設定部５６は、受信部５４からの通知があれば、現在の送信波長が接続先(ＷＤＭ
部２０)と適合した波長であると判断し(Ｓ０５；ＹＥＳ)、処理をステップＳ０８に進め
る。これに対し、受信部５４からの通知がなければ、送信波長が不適合であると判断し(
Ｓ０５；ＮＯ)、ステップＳ０６に処理を進める。
【００５０】
ステップＳ０６では、波長設定部５６は、トランスポンダ５０(送信部５３)に対して、全ての設定対象波長(λ１〜λｎ)を設定したか否かを判定する。このとき、全ての設定対象波長の設定が行われている場合(Ｓ０６；ＹＥＳ)には、波長設定部５６は、自動波長設定がＮＧであると認識し(ステップＳ１０)、自動波長設定シーケンスを終了する。この場合、ＷＤＭ部２０の異常(自動波長設定ＮＧ)がオペレータに通知されるように、構成することができる。
【００５１】
これに対し、全ての設定対象波長が設定されていない場合(ステップＳ１１)には、波長設定部５６は、送信部５３に設定された送信波長を、未設定の設定対象波長の一つに変更する(ステップＳ０７)。例えば、設定対象波長として、現在の波長λｓ(波長グリッド)の次の波長λｓ＋１に相当する波長を、送信部５３に設定する。その後、処理がステップＳ０５に戻る。
【００５２】
この動作例では、ステップＳ０４において、波長λ１が送信部５３に設定される。波長λ１は、対応する光フィルタ２１１Ａ及び２８１Ａの通過波長に適合する。従って、波長λ１の光が折り返し経路を通って受信部５４で受信され、受信が検出される。従って、処理がステップＳ０８に進む。
【００５３】
もし、要求コマンドで指定された波長がλ１ではなくλ２ならば、ステップＳ０５で光の受信は検出されない。この場合、ステップＳ０６を経て、ステップＳ０７にて、送信部５３に設定される送信波長が、λ１からλ２(λｓ＋１)に変更される。
【００５４】
ステップＳ０８に処理が進んだ場合、波長設定部５６は、現在の送信波長(λ１)を、トランスポンダ５０(＃１)の設定波長(送信波長)として決定する。すると、波長設定部５６
は、波長の設定変更を停止し、送信波長の設定が完了したことをトランスポンダ制御部３０に通知し、自身の処理を終了する。
【００５５】
波長設定の完了通知は、トランスポンダ制御部３０からＷＤＭ制御部４０に通知される。ＷＤＭ制御部４０は、完了通知を受信すると、光分岐部２２を選択している光スイッチ２７１を波長分割部２６の選択に切り替える(ステップＳ０９)。この動作例では、光スイッチ２７１Ａが波長分割部２６を選択する。これによって、波長λ１に係る運用状態が確保される。
【００５６】
ステップＳ０９の処理が終了すると、自動波長設定シーケンスが完了する。このとき、オペレータに対し、自動波長設定シーケンスの正常な完了が通知される。
【００５７】
〈作用及び効果〉
第１実施形態によるＷＤＭ伝送装置１によると、ＷＤＭ部２０が、トランスポンダ５０から受信される光を送信元のトランスポンダ５０に折り返す折り返し経路を構築することができる。折り返し経路上には、特定の波長λｓを通過波長とする光フィルタ２１１や光フィルタ２８１が配置されている。即ち、折り返し経路は、特定の通過波長を持つ。
【００５８】
一方、トランスポンダ５０は、異なる複数の波長の光を設定に応じて送信可能な送信手段(送信部５３：チューナブル送信機)と、折り返し経路を通って戻ってきた光を受信する受信手段(受信部５４)と、異なる複数の波長の光を送信手段に設定し、受信手段での光の受信が検出されたときに送信手段に設定されている波長を、トランスポンダ５０で使用する送信波長として決定する制御手段(波長設定部５６)とを備えている。
【００５９】
従って、ＷＤＭ伝送装置１によれば、ＷＤＭ伝送装置の立ち上げ時(設置時)や波長増設時等において、トランスポンダ５０とＷＤＭ部２０とを光ファイバで接続し、自動波長設定の要求コマンドを入力するだけで、トランスポンダ５０が適合波長を検出し、トランスポンダの送信波長として設定する。これによって、波長設定作業の自動化が図られるので、作業の省力化及び簡易化が図られる。また、人手による設定作業での誤設定のおそれを解消することができる。
【００６０】
また、複数の波長を対象とした波長設定作業が実行される場合に、１回の要求コマンドで対応する複数のトランスポンダ５０に自動波長設定の指令を与えることができる。このとき、各トランスポンダ５０は、独立して自動波長設定処理を実行することができる。これによって、多数の波長設定を行うのに必要な時間を大幅に短縮することができる。
【００６１】
また、折り返し経路は、ＷＤＭ部２０の多重系における多重すべき波長の光路(ＷＤＭ
部２０で光が受信されてから波長多重部２３に至るまでの光の通路：第１の光路)と、分
割系における分割された波長の光路(波長分割部２６で分割された各波長が送信に至るま
での光の通路：第２の光路)と、これらの第１及び第２の光路間を結ぶ接続光路とからな
り、接続光路と第１及び第２の光路との交点に、ＣＰＬや光スイッチを配置することで実現されている。このように、簡易な部品を用いた簡易な改良で折り返し経路を構成することができる。
【００６２】
また、自動波長設定に係るＷＤＭ部の制御は、トランスポンダ５０による波長設定動作の前後における光スイッチの切替制御のみである。従って、自動波長設定において、ＷＤＭ部で複雑な制御を行う必要がない。また、光スイッチ２７１の制御のみで、受信系の各波長λ１〜λｎを運用状態と波長設定状態との間で切り替えることができる。
【００６３】
〈変形例〉
第１実施形態では、ＷＤＭ伝送装置１で使用される全ての波長λ１〜λｎについて、折り返し経路が構築される構成とし、且つ全てのトランスポンダ５０が同じ構成(自動波長
設定機能(波長設定部６２))を持つ場合について説明した。
【００６４】
但し、本発明に係るＷＤＭ伝送装置(波長分割多重装置)は、ＷＤＭ部(波長分割多重部)が少なくとも１つの波長についての折り返し経路を有し、この折り返し経路に接続されるトランスポンダが、自動波長設定機能を持つように構成することができる。このように、自動波長設定機能を有するトランスポンダの数(折り返し経路を持つ波長数)が任意であることは、以下に説明する第２〜９実施形態においても同様である。
【００６５】
〔第２実施形態〕
次に、本発明による波長分割多重装置(ＷＤＭ伝送装置)の第２実施形態について説明する。第２実施形態は、第１実施形態との共通点を含むので、主として相違点について説明し、共通点の説明は省略する。
【００６６】
〈装置構成〉
図４は、第２実施形態に係るＷＤＭ伝送装置の構成例を示す図である。図４において、図２に示したＷＤＭ伝送装置１と同じ構成要素には、同じ符号が付されている。
【００６７】
ＷＤＭ伝送装置１Ａは、ＷＤＭ伝送装置１と次の点で異なっている。即ち、ＷＤＭ部２０Ａにおいて、光フィルタ部２１と波長多重部２３との間に、光分岐部２２の代わりの光スイッチ部６０が挿入されている。また、ＷＤＭ部２０Ａにおいて、波長分割部２６と光フィルタ部２８との間に、光スイッチ部２７の代わりの光合波部６０が挿入されている。
【００６８】
光スイッチ部６０は、各光フィルタ２１１と、波長多重部２３との間に設けられた各波長λ１〜λｎの光路(主信号光路)上に配置(挿入)された複数の光スイッチ(ＳＷ)６０１を有している。各ＳＷ６０１は、光フィルタ２１１からの光を、波長多重部２３と光合波部６１との一方に接続する(両者の一方を選択する)ように構成されている。これによって、ＳＷ６０１が波長多重部２３を選択している場合には、光フィルタ２１１からの信号光は波長多重部２３に入射され、ＳＷ６０１が光合波部６１を選択している場合には、光フィルタ２１１からの信号光は光合波部６１に入射される。各ＳＷ６０１の切替(選択)制御は、ＷＤＭ制御部４０によって実行される。
【００６９】
光合波部６１は、波長分割部２６と各光フィルタ２８１との間にそれぞれ形成された各波長λ１〜λｎの光路(主信号光路)上に配置(挿入)された複数のＣＰＬ(合波器)６１１を有している。各ＣＰＬ６１１は、対応する波長λｓのＳＷ６０１と例えば光ファイバで接続されている。ＣＰＬ６１１は、ＳＷ６０１からの光を波長分割部２６と光フィルタ２８１との間の主信号光路に挿入する。即ち、ＣＰＬ６１１は、波長分割部２６からの信号光と、ＳＷ６０１からの信号光とを合波することができる。
【００７０】
以上の構成を除き、ＷＤＭ伝送装置１Ａは、ＷＤＭ伝送装置１と同様の構成を持つ。即ち、第１実施形態で説明したＷＤＭ伝送装置１(ＷＤＭ部２０)における第１及び第２の光路と接続光路との交点に配置される光学部品(ＣＰＬ，光スイッチ(ＳＷ))を置き換えたものが、ＷＤＭ伝送装置１Ａ(ＷＤＭ部２０Ａ)である。
【００７１】
上記した構成によって、ＷＤＭ部２０Ａは、各波長λ１〜λｎについて、送信部５３からの光が光フィルタ２１１→ＳＷ６０１→ＣＰＬ６１１→光フィルタ２８１を通過する折り返し経路を有している。従って、各トランスポンダ５０は、折り返し経路を通って自装置に戻ってくる光の受信を検知し、そのときに送信部５３に設定されている波長を、自装置の送信波長として決定することができる。
【００７２】
〈動作例〉
図５は、第２実施形態によるＷＤＭ伝送装置１Ａで実行される自動波長設定シーケンスを示す図である。図５に示す処理(動作例)は、ステップＳ０３Ａ及びＳ０９Ａにおいて、ＷＤＭ制御部４０が、設定対象の波長λｓに対応するＳＷ６０１の切替制御を行う点を除き、図３に示した第１実施形態に係る動作例と同様である。このため、詳細な説明は省略する。但し、第２実施形態では、少なくともステップＳ０５〜Ｓ０９Ａにおける処理の間に、波長分割部２６から信号光が出射されないようにする必要がある。
【００７３】
〈作用及び効果〉
第２実施形態によるＷＤＭ伝送装置１Ａによれば、第１実施形態で説明したＷＤＭ伝送装置１とほぼ同様の作用及び効果を得ることができる。
【００７４】
〔第３実施形態〕
次に、本発明による波長分割多重装置(ＷＤＭ伝送装置)の第３実施形態について説明する。第２実施形態は、第１及び２実施形態との共通点を含むので、主として相違点について説明し、共通点の説明は省略する。
【００７５】
〈装置構成〉
図６は、第３実施形態に係るＷＤＭ伝送装置の構成例を示す図である。図６において、図２及び図４に示したＷＤＭ伝送装置１,１Ａと同じ構成要素には、同じ符号が付されて
いる。
【００７６】
ＷＤＭ伝送装置１Ｂは、ＷＤＭ伝送装置１Ａ(図４)と次の点で異なっている。即ち、ＷＤＭ部２０Ｂにおいて、波長分割部２６と光フィルタ部２８との間に、ＷＤＭ伝送装置１と同様の光スイッチ部２７が配置(挿入)が挿入されている。光スイッチ部２７に含まれる各ＳＷ２７１は、対応する波長λｓのＳＷ６０１と例えば光ファイバで接続されている。
【００７７】
各ＳＷ６０１は、波長多重部２３と光スイッチ部２７との間で切替動作を行い、各ＳＷ２７１は、波長分割部２６と光スイッチ部６０との間で切替動作を行うように構成されている。同一の波長λｓに係るＳＷ２７１及び６０１は、同期して切替動作を行うように制御される。切替制御は、ＷＤＭ制御部４０によって行われる。
【００７８】
以上の構成を除き、ＷＤＭ伝送装置１Ｂは、ＷＤＭ伝送装置１Ａと同様の構成を持つ。即ち、ＷＤＭ部２０Ｂは、第１及び第２の光路と接続光路との各交点に配置される光学部品の双方を光スイッチで構成したものである。
【００７９】
上記した構成によって、ＷＤＭ部２０Ｂは、各波長λ１〜λｎについて、送信部５３からの光が、光フィルタ２１１→ＳＷ６０１→ＳＷ２７１→光フィルタ２８１を通過する折り返し経路を有している。従って、各トランスポンダ５０は、折り返し経路を通って自装置に戻ってくる光の受信を検知し、そのときに送信部５３に設定されている波長を、自装置の送信波長として決定することができる。
【００８０】
〈動作例〉
図７は、第３実施形態によるＷＤＭ伝送装置１Ｂで実行される自動波長設定シーケンスを示す図である。図７に示す処理(動作例)は、ステップＳ０３Ｂ及びＳ０９Ｂにおいて、ＷＤＭ制御部４０が、設定対象の波長λｓに対応するＳＷ６０１及び２７１の切替制御を行う点を除き、図５に示した第２実施形態に係る動作例と同様である。このため、詳細な説明は省略する。
【００８１】
〈作用及び効果〉
第３実施形態によるＷＤＭ伝送装置１Ｂによれば、第１実施形態で説明したＷＤＭ伝送装置１とほぼ同様の作用及び効果を得ることができる。
【００８２】
〔第４実施形態〕
次に、本発明による波長分割多重装置(ＷＤＭ伝送装置)の第４実施形態について説明する。第２実施形態は、第１実施形態との共通点を含むので、主として相違点について説明し、共通点の説明は省略する。
【００８３】
〈装置構成〉
図８は、第４実施形態に係るＷＤＭ伝送装置の構成例を示す図である。ＷＤＭ伝送装置１Ｃは、第１実施形態に係るＷＤＭ伝送装置１(図２)の変形例に相当する。図８において、ＷＤＭ伝送装置１と同じ構成要素には、同じ符号が付されている。
【００８４】
ＷＤＭ伝送装置１Ｃは、ＷＤＭ伝送装置１(図２)と次の点で異なっている。即ち、ＷＤＭ部２０に相当するＷＤＭ部２０Ｃは、波長多重部２３において光フィルタと同様のフィルタ効果が発揮されることに鑑み、光フィルタ部２１を有していない。このため、各トランスポンダ５０の送信部５３は、光分岐部２２の対応するＣＰＬ２２１に光ファイバ等を介して接続された状態となっている。
【００８５】
これによって、ＷＤＭ２０Ｃは、各波長λ１〜λｎについて、ＣＰＬ２２１→ＳＷ２７１→光フィルタ２８１の折り返し経路を有する構成となっている。従って、ＷＤＭ伝送装置１Ｃでは、送信部５３から送信される光の波長が、光フィルタ２８１の通過波長に適合する場合にのみ、受信部５４が折り返し経路を通って戻ってきた光を受信できるようになっている。以上の構成を除き、ＷＤＭ伝送装置１Ｃは、ＷＤＭ伝送装置１と同様の構成を有する。
【００８６】
ＷＤＭ伝送装置１Ｃは、ＷＤＭ伝送装置１と同様の自動波長設定シーケンス(図３)に従って、自動波長設定を実行する。このため詳細な動作例の説明は省略する。
【００８７】
〈作用及び効果〉
第４実施形態によるＷＤＭ伝送装置１Ｃによれば、第１実施形態で説明したＷＤＭ伝送装置１とほぼ同様の効果を得ることができる。即ち、本発明は、第１の光路上に光フィルタを持たないが、第２の光路上に光フィルタを有するＷＤＭ部についても適用が可能である。
【００８８】
言い換えれば、本発明は、折り返し経路上の少なくとも１箇所で、特定の波長(波長帯)のみを通過させる領域(通過波長領域)が設けられていれば良い。光フィルタで通過波長領域が実現される場合、折り返し経路上に対する光フィルタ(通過帯域フィルタ)の設置位置及び数は任意である。
【００８９】
〔第５実施形態〕
次に、本発明による波長分割多重装置(ＷＤＭ伝送装置)の第５実施形態について説明する。第５実施形態は、第２実施形態との共通点を含むので、主として相違点について説明し、共通点の説明は省略する。
【００９０】
〈装置構成〉
図９は、第５実施形態に係るＷＤＭ伝送装置の構成例を示す図である。ＷＤＭ伝送装置１Ｄは、第２実施形態に係るＷＤＭ伝送装置１Ａ(図４)の変形例に相当する。図９において、ＷＤＭ伝送装置１Ａと同じ構成要素には、同じ符号が付されている。
【００９１】
ＷＤＭ伝送装置１Ｄは、ＷＤＭ伝送装置１Ａと次の点で異なっている。即ち、ＷＤＭ部２０に相当するＷＤＭ部２０Ｄは、波長多重部２３において光フィルタと同様のフィルタ効果が発揮されることに鑑み、光フィルタ部２１を有していない。このため、各トランスポンダ５０の送信部５３は、光スイッチ部６０の対応するＳＷ６０１に光ファイバを介して接続された状態となっている。
【００９２】
これによって、ＷＤＭ部２０Ｄは、各波長λ１〜λｎについて、ＳＷ６０１→ＣＰＬ６１１→光フィルタ２８１の折り返し経路を有する構成となっている。従って、ＷＤＭ伝送装置１Ｄでは、第４実施形態と同様に、送信部５３から送信される光の波長が、光フィルタ２８１の通過波長に適合する場合にのみ、受信部５４が折り返し経路を通って戻ってきた光を受信できるようになっている。以上の構成を除き、ＷＤＭ伝送装置１Ｄは、ＷＤＭ伝送装置１Ａと同様の構成を有する。
【００９３】
ＷＤＭ伝送装置１Ｄは、ＷＤＭ伝送装置１Ａと同様の自動波長設定シーケンス(図５)に従って、自動波長設定を実行する。このため詳細な動作例の説明は省略する。
【００９４】
〈作用及び効果〉
第５実施形態によるＷＤＭ伝送装置１Ｄによれば、第２実施形態で説明したＷＤＭ伝送装置１Ａとほぼ同様の作用及び効果を得ることができる。
【００９５】
〔第６実施形態〕
次に、本発明による波長分割多重装置(ＷＤＭ伝送装置)の第６実施形態について説明する。第６実施形態は、第３実施形態との共通点を含むので、主として相違点について説明し、共通点の説明は省略する。
【００９６】
〈装置構成〉
図１０は、第６実施形態に係るＷＤＭ伝送装置の構成例を示す図である。ＷＤＭ伝送装置１Ｅは、第３実施形態に係るＷＤＭ伝送装置１Ｂ(図６)の変形例に相当する。図１０において、ＷＤＭ伝送装置１Ｂと同じ構成要素には、同じ符号が付されている。
【００９７】
ＷＤＭ伝送装置１Ｅは、ＷＤＭ伝送装置１Ｂと次の点で異なっている。即ち、ＷＤＭ部２０に相当するＷＤＭ部２０Ｅは、波長多重部２３において光フィルタと同様のフィルタ効果が発揮されることに鑑み、光フィルタ部２１を有していない。このため、各トランスポンダ５０の送信部５３は、光スイッチ部６０の対応するＳＷ６０１に光ファイバを介して接続された状態となっている。
【００９８】
これによって、ＷＤＭ部２０Ｅは、各波長λ１〜λｎについて、ＳＷ６０１→ＳＷ２７１→光フィルタ２８１の折り返し経路を有する構成となっている。従って、ＷＤＭ伝送装置１Ｅでは、第４及び５実施形態と同様に、送信部５３から送信される光の波長が光フィルタ２８１の通過波長に適合する場合にのみ、受信部５４が折り返し経路を通って戻ってきた光を受信できるようになっている。以上の構成を除き、ＷＤＭ伝送装置１Ｅは、ＷＤＭ伝送装置１Ｂと同様の構成を有する。
【００９９】
ＷＤＭ伝送装置１Ｅは、ＷＤＭ伝送装置１Ｂと同様の自動波長設定シーケンス(図７)に従って自動波長設定を実行する。このため、詳細な動作例の説明は省略する。
【０１００】
〈作用及び効果〉
第６実施形態によるＷＤＭ伝送装置１Ｅによれば、第２実施形態で説明したＷＤＭ伝送装置１Ａとほぼ同様の作用及び効果を得ることができる。
【０１０１】
〔第７実施形態〕
次に、本発明による波長分割多重装置(ＷＤＭ伝送装置)の第７実施形態について説明する。第７実施形態は、第１,２及び４実施形態との共通点を含むので、主として相違点に
ついて説明し、共通点の説明は省略する。
【０１０２】
〈装置構成〉
図１１は、第７実施形態に係るＷＤＭ伝送装置の構成例を示す図である。図１１に示すＷＤＭ伝送装置１Ｆにおいて、第１実施形態に係るＷＤＭ伝送装置１(図２)，及び第２実施形態に係るＷＤＭ伝送装置１Ａ(図４)と同じ構成要素には、同じ符号が付されている。
【０１０３】
ＷＤＭ伝送装置１Ｆは、ＷＤＭ部の構成が、第１及び第２実施形態と異なる。ＷＤＭ伝送装置１Ｆが有するＷＤＭ部２０Ｆは、第１実施形態に係るＷＤＭ部２０(図２)に含まれた光分岐部２２，波長多重部２３，光増幅部２４及び２５，波長分割部２４，及び光フィルタ部２８と、第２実施形態に係るＷＤＭ部２０Ａ(図４)に含まれた光合波部(光挿入部)６１とを備えている。ここで、ＷＤＭ部２０Ｆは、光スイッチ部２１を有しておらず、各トランスポンダ５０と光分岐部２２との接続関係は、第４実施形態と同様になっている。
【０１０４】
さらに、ＷＤＭ部２０Ｆは、光分岐部２２と光合波部６１との間に設けられた光スイッチ部７０を備えている。光スイッチ部７０は、各波長λ１〜λｎに対応するＣＰＬ２２１とＣＰＬ６１１との間を結ぶ接続光路上に配置(挿入)された複数の光スイッチ(ＳＷ)７０１を含んでいる。各ＳＷ７０１は、オン／オフ動作に応じて、ＣＰＬ２２１からの光を通過状態と非通過状態との間で切り替える。各ＳＷ７０１のオン／オフ制御は、ＷＤＭ制御部４０によって実行される。各ＳＷ７０１は、対応する波長の運用時ではオフにされ、自動波長設定時にオンにされる。
【０１０５】
以上の構成を除き、ＷＤＭ伝送装置１Ｆは、ＷＤＭ伝送装置１及び１Ａと同様の構成を持つ。
【０１０６】
〈動作例〉
図１２は、第７実施形態に係るＷＤＭ伝送装置１Ｆで実行される自動波長設定シーケンスを示す図である。図１２に示す処理(動作例)は、ステップＳ０３Ｃ及びＳ０９Ｃが、第１実施形態に係る自動波長設定シーケンス(図３)と異なる。
【０１０７】
ステップＳ０３Ｃでは、ＷＤＭ制御部４０が、トランスポンダ５０に設定すべき送信波長λｓ(指定波長)に対応するＳＷ７０１をオンにする。これによって、送信部５３から送信された信号光が、ＣＰＬ２２１からＳＷ７０１を通ってＣＰＬ６１１に入射される。ＣＰＬ６１１は、信号光を光フィルタ２８１へ向かう光路に挿入する。
【０１０８】
ステップＳ０９Ｃでは、送信波長が決定されたことを以て、ＷＤＭ制御部４０が、オン状態のＳＷ７０１をオフにする。これによって、波長分割部６１からの信号光とＣＰＬ２１１からの信号光とが合波されることが防止され、対応する波長の運用状態が確保される。
【０１０９】
以上の点を除き、第７実施形態における自動波長設定シーケンスは、第１実施形態と同様である。このため、詳細な説明は省略する。なお、第７実施形態では、自動波長設定時において、波長分割部２６から光が出射されない状態にされる。
【０１１０】
〈作用及び効果〉
第７実施形態に係るＷＤＭ伝送装置１Ｆによれば、第１実施形態に係るＷＤＭ伝送装置
１とほぼ同様の作用及び効果を得ることができる。
【０１１１】
〈変形例〉
ＷＤＭ部２０ＦのＣＰＬ２２１をＳＷ６０１に置換したり、ＣＰＬ６１１をＳＷ２７１に置換したりすることができる。
【０１１２】
〔第８実施形態〕
次に、本発明による波長分割多重装置(ＷＤＭ伝送装置)の第８実施形態について説明する。第８実施形態は、第１実施形態との共通点を含むので、主として相違点について説明し、共通点の説明は省略する。
【０１１３】
〈装置構成〉
図１３は、第８実施形態に係るＷＤＭ伝送装置の構成例を示す図である。ＷＤＭ伝送装置１Ｇは、第１実施形態に係るＷＤＭ伝送装置１(図２)の変形例であり、図１３において、ＷＤＭ伝送装置１と同じ構成要素には、同じ符号が付されている。
【０１１４】
ＷＤＭ伝送装置１Ｇにおいて、トランスポンダ制御部３０には、設定波長情報格納部(
格納部)３１が接続されている。格納部３１は、トランスポンダ部１０にて既に設定済み
の波長λｓを示す情報(設定済み波長情報)が格納されている。
【０１１５】
各トランスポンダ５０の波長設定部５６は、トランスポンダ制御部３０からの指令に基づき、自動波長設定を実行する場合に、格納部３１に格納された設定済み波長情報をトランスポンダ制御部３０を通じて取得する。波長設定部５６は、ＷＤＭ伝送装置１Ｇで使用される全波長λｓから、設定済みの波長を、送信部５３への設定対象波長から除外し、自動波長設定処理を実行する。
【０１１６】
以上の点を除き、ＷＤＭ伝送装置１Ｇは、ＷＤＭ伝送装置１と同様の構成を持つ。
【０１１７】
〈動作例〉
図１４は、第８実施形態に係るＷＤＭ伝送装置１Ｇで実行される自動波長設定シーケンスを示す図である。図１４に示す処理(動作例)は、ステップＳ０３とステップＳ０４との間に、ステップＳ１１が挿入されている点を除き、第１実施形態に係る自動波長設定シーケンス(図３)とほぼ同様である。このため、同一のステップ番号が付された処理については説明を省略する。
【０１１８】
ステップＳ１１では、トランスポンダ制御部３０からの指令を受け取った波長設定部５６が、トランスポンダ制御部３０を介して格納部３１から設定済みの波長情報を読み出し、全波長を対象とする設定対象波長から、設定済みの波長を除外する。波長設定部５６は、設定済みの波長が除外された残りの未使用の波長の一つを、ステップＳ０４にて、送信部５３に設定する。
【０１１９】
〈作用及び効果〉
第８実施形態によるＷＤＭ伝送装置１Ｇによれば、第１実施形態で説明したＷＤＭ伝送装置１とほぼ同様の作用及び効果を得ることができる。さらに、ＷＤＭ伝送装置１Ｇでは、トランスポンダ部１０で設定済みの波長が、送信部５３への設定対象波長(送信波長の
候補)から除外される。これによって、自動波長設定シーケンスで送信部５３へ設定すべ
き波長の最大数が減るので、自動波長設定に要する時間の短縮化を図ることができる。
【０１２０】
〈変形例〉
第８実施形態のように、格納部３１に設定済みの波長を記憶し、設定対象波長から設定
済みの波長を除外する構成は、第２〜第７実施形態に示したＷＤＭ伝送装置についても適用することができる。また、後述する第９実施形態についても適用可能である。
【０１２１】
〔第９実施形態〕
次に、本発明による波長分割多重装置(ＷＤＭ伝送装置)の第９実施形態について説明する。第９実施形態は、第１実施形態との共通点を含むので、主として相違点について説明し、共通点の説明は省略する。
【０１２２】
〈装置構成〉
図１５は、第９実施形態に係るＷＤＭ伝送装置の構成例を示す図である。ＷＤＭ伝送装置１Ｈは、第１実施形態に係るＷＤＭ伝送装置１(図２)の変形によって実現されるものであり、図１５において、ＷＤＭ伝送装置１と同じ構成要素には、同じ符号が付されている。
【０１２３】
ＷＤＭ伝送装置１Ｈでは、各トランスポンダ５０Ａが、送信部５３の後段に設けられた分配器としての光ファイバカプラ(ＣＰＬ)５７と、ＣＰＬ５７から分岐した光を検知(検
出)するフォトディテクタ(ＰＤ)５８とを有している。
【０１２４】
ＣＰＬ５７は、ＷＤＭ部２０からトランスポンダ５０Ａへ向かう方向の光が入射したときに、その光の一部をＰＤ５８へ分岐させる。ＰＤ５８は、ＣＰＬ５７から出射される光を検知(検出)し、光受信を波長設定部５６に通知する。
【０１２５】
一方、ＷＤＭ部２０Ｈは、分割系において、ＷＤＭ部２０が有する光スイッチ部２７(
図２)が設けられておらず、波長分割部２６と光フィルタ部２８とが直接接続されている
。一方、多重系には、光フィルタ部２１と波長多重部２３との間に、光分岐部２２の代わりの反射／透過部８０が設けられている。
【０１２６】
反射／透過部８０は、各波長λ１〜λｎに対応する複数の反射／透過ユニット８０１を含んでいる。各反射／透過ユニット８０１は、光フィルタ２１１と波長多重部２３との間の各波長λ１〜λｎの光路(第１の光路)上に配置されている。
【０１２７】
図１６は、反射／透過ユニット８０の構成例を示す図である。反射／透過ユニット８０は、光フィルタ２１１からの信号光が入射する光スイッチ(ＳＷ)８０２と、反射手段としてのミラー８０３とを有している。
【０１２８】
ＳＷ８０２は、光フィルタ２１１から入射する信号光(図１６において実線矢印で図示)の出射先(接続先)を、波長多重部２６とミラー８０３との間で切り替える(両者の一方を
選択する)。ＳＷ８０２の切替制御は、ＷＤＭ制御部４０によって行われる。ＳＷ８０２
が波長多重部２６を選択しているとき、光フィルタ２１１からの信号光は、反射／透過ユニットを透過して波長多重部２６に入射される。これに対し、ＳＷ８０２がミラー８０３を選択しているとき、光フィルタ２１１からの信号光は、ミラー８０３へ向けて出射される。
【０１２９】
ミラー８０３は、ＳＷ８０３から出射した信号光を全反射する。これによって、ミラー８０３の反射光(図１６において破線矢印で図示)は、ＳＷ８０２を通って光フィルタ２１１へ向かって戻るように構成されている。
【０１３０】
以上の構成により、送信部５３から送信される信号光は、この信号光の波長が光フィルタ２１１の通過波長に適合しているとき、光フィルタ２１１を通過して反射／透過ユニットに入射される。このとき、ＳＷ８０２がミラー８０３を選択していると、信号光はミラ
ー８０３によって反射される。ミラー８０３の反射光は、ＳＷ８０２を通過し、光フィルタ２１１へ向かって進行する。
【０１３１】
さらに、反射光は、光フィルタ２１１を通過して、信号光の送信元のトランスポンダ５０Ａに到達する。このとき、反射光は、ＣＰＬ５７を介してＰＤ５８に至る。すると、ＰＤ５８が、反射光の受信を検知し、波長設定部５６に通知する。波長設定部５６は、ＰＤ５８からの通知を受け取ると、この時点で送信部５３に設定されている波長を、自装置(
トランスポンダ５０Ａ)が採用すべき送信波長として決定する。
【０１３２】
以上の構成を除き、ＷＤＭ伝送装置１Ｈは、ＷＤＭ伝送装置１と同様の構成を有している。送信部５３が送信手段に相当し、ＣＰＬ５７及びＰＤ５８が受信手段に相当し、波長設定部５６が制御手段，決定する手段に相当する。
【０１３３】
〈動作例〉
図１７は、第９実施形態に係るＷＤＭ伝送装置１Ｇで実行される自動波長設定シーケンスを示す図である。図１７に示す処理(動作例)は、以下の(１)〜(３)に示す相違点を除き、第１実施形態に係る自動波長設定シーケンス(図３)と同様である。このため、図１７において同一のステップ番号が付された処理については説明を省略する。
(１)ステップＳ０３の代わりにステップＳ２１が実行される。
(２)ステップＳ０５の代わりにステップＳ２２が実行される。
(３)ステップＳ０９の代わりにステップＳ２３が実行される。
【０１３４】
ステップＳ２１では、反射／透過部８０で“反射”が選択される。即ち、オペレータからの自動波長設定の要求コマンドを受け取ったＷＤＭ制御部４０が、要求コマンドから識別される波長(設定対象波長)に対応する各反射／透過ユニット８０１にミラー８０３を選択させる。
【０１３５】
ステップＳ２２では、波長設定部５６が、送信部５３に波長を設定してから一定時間が経過するまでの間、ＰＤ５８で反射光の受信を監視する。一定時間内に受信が検出された場合(Ｓ２２；ＹＥＳ)には、処理がステップＳ０８に進み、そうでない場合(Ｓ２２；Ｎ
Ｏ)には、処理がステップＳ０６に進む。
【０１３６】
ステップＳ２３では、反射／透過部８０で“透過”が選択される。即ち、ＷＤＭ制御部４０は、例えば、トランスポンダ制御部３０からの通知によって、或るトランスポンダ５０Ａの自動波長設定が完了したことを認識し、この認識に基づいて、対応する反射／透過ユニット８０１の状態を、波長多重部２６の選択に切り替える。
【０１３７】
〈作用及び効果〉
第９実施形態によるＷＤＭ伝送装置１Ｈによれば、第１実施形態で説明したＷＤＭ伝送装置１とほぼ同様の効果を得ることができる。さらに、ＷＤＭ伝送装置１Ｈでは、折り返し経路が多重系のみを用いて構成されているので、ＷＤＭ部の改変に係る部分を少なくすることができる。即ち、ＷＤＭ部２０Ｈでは、反射／透過部８０の挿入のみで、折り返し経路を持つ構成とすることができる。
【０１３８】
〈変形例〉
第９実施形態で説明した自動波長設定に係る構成は、ＷＤＭ伝送装置中の多重系のみを有する波長多重装置に適用することが可能である。
【０１３９】
〔その他〕
上述した実施形態は、以下の発明を開示する。以下に記載される発明は、必要に応じて
適宜組み合わせることができる。
【０１４０】
（付記１）
異なる波長を有する複数の信号光を送信するトランスポンダ部と、
前記複数の信号光を受信して波長多重して送信するとともに、波長多重された信号光を受信したときに、この波長多重された信号光を異なる波長を有する複数の信号光に分割し、分割された各信号光を前記トランスポンダ部に送信する波長分割多重部とを含み、
前記トランスポンダ部は、前記複数の波長の一つを有する信号光を前記波長分割多重部との間で送受信する複数のトランスポンダを有し、
前記波長分割多重部は、前記複数のトランスポンダの一つと接続され、特定の通過波長を持ち、前記トランスポンダの一つから受信される信号光の波長が前記通過波長に適合するときに、この信号光を前記トランスポンダの一つに折り返す折り返し経路を有し、
前記トランスポンダの一つは、
設定に応じた波長の信号光を前記波長分割多重部へ送信可能な送信手段と、
前記折り返し経路を通って戻ってきた信号光を検出する検出手段と、
前記送信手段に対する波長設定を行うとともに、前記検出手段で信号光が検出されたときに前記送信手段に設定されている波長を、このトランスポンダの一つの送信波長として決定する制御手段とを含む
波長分割多重装置。（１）
（付記２）
前記波長分割多重部は、前記複数の信号光を波長多重する波長多重部と、前記波長多重された信号光を異なる波長を有する複数の信号光に分割する波長分割部とを含み、
前記折り返し経路は、
前記トランスポンダの一つからの信号光が前記波長分割多重部で受信されてから前記波長多重部に到達するまでの第１の光路と、
前記波長分割部から出射される信号光の一つが前記波長分割多重部から前記トランスポンダへ向かって送信されるまでの第２の光路と、
前記第１の光路と前記第２の光路とを結ぶ接続光路と、
を含む付記１記載の波長分割多重装置。
【０１４１】
（付記３）
前記第１の光路と前記接続光路との交点に、前記第１の光路を通って前記波長多重部へ向かう信号光を前記接続光路へ分岐させる光分配器が配置され、
前記第２の光路と前記接続光路との交点に、前記第２の光路上を前記トランスポンダの一つへ向かって進行する光を、前記光分配器からの信号光と前記波長分割部から出射された信号光との間で切り替える光スイッチが配置されている
付記２記載の波長分割多重装置。
【０１４２】
（付記４）
前記第１の光路と前記接続光路との交点に、前記第１の光路を通って前記波長多重部へ向かう信号光の接続先を、前記波長多重部と前記接続光路との間で切り替える光スイッチが配置され、
前記第２の光路と前記接続光路との交点に、前記光スイッチからの信号光を前記第２の光路に挿入する挿入部が配置されている
付記２記載の波長分割多重装置。
【０１４３】
（付記５）
前記第１の光路と前記接続光路との交点に、前記第１の光路を通って前記波長多重部へ向かう信号光の接続先を、前記波長多重部と前記接続光路との間で切り替える光スイッチが配置され、
前記第２の光路と前記接続光路との交点に、前記第２の光路上を前記トランスポンダへ向かって進行する光を、前記光分配器からの信号光と前記波長分割部から出射された信号光との間で切り替える光スイッチが配置されている
付記２記載の波長分割多重装置。
【０１４４】
（付記６）
前記接続光路上に、前記接続光路上の信号光の進行をオン／オフするスイッチが配置されている
付記２〜５のいずれかに記載の波長分割多重装置。
【０１４５】
（付記７）
前記折り返し経路上に、信号光を反射する反射手段が配置され、
前記反射手段で反射された信号光は、反射手段に到達するまでに通った経路をたどって前記トランスポンダの一つに戻る
付記１記載の波長分割多重装置。
【０１４６】
（付記８）
前記制御手段によって前記送信手段に設定される設定波長候補が規定され、
前記トランスポンダ部で使用中の波長を識別可能な情報を記憶した記憶手段をさらに含み、
前記記憶手段に記憶された情報に基づいて、前記使用中の波長が前記設定波長候補から除外される
付記１〜７のいずれかに記載の波長分割多重装置。
【０１４７】
（付記９）
異なる波長を有する複数の信号光を送信するトランスポンダ部と、前記複数の信号光を受信して波長多重して送信するとともに、波長多重された信号光を受信したときに、この波長多重された信号光を異なる波長を有する複数の信号光に分割し、分割された各信号光を前記トランスポンダ部に送信する波長分割多重部とを含み、前記トランスポンダ部は、前記複数の波長の一つを有する信号光を前記波長分割多重部との間で送受信する複数のトランスポンダを有する波長分割多重装置において、
前記複数のトランスポンダの一つが、
信号光を前記波長分割多重部に送信し、
前記信号光の波長が前記トランスポンダの一つが使用すべき波長である場合に、前記波長分割多重部から折り返されて戻ってくる前記信号光を受信し、
前記信号光が受信された場合に、受信された信号光の波長を、前記トランスポンダの一つが使用する送信波長として決定する
ことを含む波長分割多重装置の自動送信波長設定方法。（２）
（付記１０）
異なる波長を有する複数の信号光を波長多重する装置に、前記複数の信号光の一つを送信するトランスポンダであって、
信号光を前記装置に送信する送信手段と、
前記信号光の波長が前記トランスポンダの使用すべき波長である場合に前記装置から折り返されて戻ってくる前記信号光を受信する受信手段と、
前記信号光が前記受信手段で受信された場合に、受信された信号光の波長を前記トランスポンダが使用する送信波長として決定する手段と
を含むトランスポンダ。（３）
（付記１１）
異なる波長を有する複数の信号光を波長多重する装置に前記複数の信号光の一つを送信するトランスポンダが、
信号光を前記装置に送信し、
前記信号光の波長が前記トランスポンダの使用すべき波長である場合に、前記装置から折り返されて戻ってくる前記信号光を受信し、
前記信号光が受信された場合に、受信された信号光の波長を前記トランスポンダが使用する送信波長として決定する手段と
ことを含むトランスポンダの自動送信波長設定方法。（４）
（付記１２）
異なる波長を有する複数の信号光を波長多重する波長多重部と、
特定の通過波長を有し、前記波長多重部へ向かって送信された信号光が接続され、この信号光の波長が前記通過波長に適合するときに、この信号光を送信元へ折り返す折り返し経路と
を含む波長多重装置。（５）
【図面の簡単な説明】
【０１４８】
【図１】従来のＷＤＭ伝送装置の構成図である。
【図２】第１実施形態に係るＷＤＭ伝送装置の構成例を示す図である。
【図３】第１実施形態に係るＷＤＭ伝送装置で実行される自動波長設定シーケンスの例を示す図である。
【図４】第２実施形態に係るＷＤＭ伝送装置の構成例を示す図である。
【図５】第２実施形態に係るＷＤＭ伝送装置で実行される自動波長設定シーケンスの例を示す図である。
【図６】第３実施形態に係るＷＤＭ伝送装置の構成例を示す図である。
【図７】第３実施形態に係るＷＤＭ伝送装置で実行される自動波長設定シーケンスの例を示す図である。
【図８】第４実施形態に係るＷＤＭ伝送装置の構成例を示す図である。
【図９】第５実施形態に係るＷＤＭ伝送装置の構成例を示す図である。
【図１０】第６実施形態に係るＷＤＭ伝送装置の構成例を示す図である。
【図１１】第７実施形態に係るＷＤＭ伝送装置の構成例を示す図である。
【図１２】第７実施形態に係るＷＤＭ伝送装置で実行される自動波長設定シーケンスの例を示す図である。
【図１３】第８実施形態に係るＷＤＭ伝送装置の構成例を示す図である。
【図１４】第８実施形態に係るＷＤＭ伝送装置で実行される自動波長設定シーケンスの例を示す図である。
【図１５】第９実施形態に係るＷＤＭ伝送装置の構成例を示す図である。
【図１６】図１５に示した反射／透過ユニットの構成例を示す図である。
【図１７】第９実施形態に係るＷＤＭ伝送装置で実行される自動波長設定シーケンスの例を示す図である。
【符号の説明】
【０１４９】
１,１Ａ,１Ｂ,１Ｃ,１Ｄ,１Ｅ,１Ｆ,１Ｇ,１Ｈ・・・ＷＤＭ伝送装置(波長分割多重装置)１０,１０・・・トランスポンダ部
２０,２０Ａ,２０Ｂ,２０Ｃ,２０Ｄ,２０Ｅ,２０Ｆ,２０Ｈ・・・ＷＤＭ部(波長分割多重部)
２１,２８・・・光フィルタ部
２２・・・光分岐部
２３・・・波長多重部
２４,２５・・・光増幅部
２６・・・波長分割部
２７,６０,７０・・・光スイッチ部
３０・・・トランスポンダ制御部
３１・・・設定波長情報格納部
４０・・・ＷＤＭ制御部
５０,５０Ａ・・・トランスポンダ
５３・・・送信部(チューナブル送信機)
５４・・・受信部
５６・・・波長設定部
６１・・・光合波部(光挿入部)
８０・・・反射／透過部
２１１,２８１・・・光フィルタ
２２１,６１１・・・光ファイバカプラ(ＣＰＬ)
２７１,６０１,８０２・・・光スイッチ
７０１・・・スイッチ
８０１・・・反射／透過ユニット
８０３・・・ミラー
【図１】
2007097068.tif 000003
【図２】
2007097068.tif 000004
【図３】
2007097068.tif 000005
【図４】
2007097068.tif 000006
【図５】
2007097068.tif 000007
【図６】
2007097068.tif 000008
【図７】
2007097068.tif 000009
【図８】
2007097068.tif 000010
【図９】
2007097068.tif 000011
【図１０】
2007097068.tif 000012
【図１１】
2007097068.tif 000013
【図１２】
2007097068.tif 000014
【図１３】
2007097068.tif 000015
【図１４】
2007097068.tif 000016
【図１５】
2007097068.tif 000017
【図１６】
2007097068.tif 000018
【図１７】
2007097068.tif 000019